(57)【要約】【課題】主に各種電子機器の操作に用いられるリモコン送信機に関し、防水性や防塵性を高め、確実な操作の可能なものを提供することを目的とする。【解決手段】下ケース２５の窪部２６を上方が幅広で下方が幅狭に傾斜させると共に、断面が略台形状で上面に溝部２７Ａが形成された略リング状の弾性体２７を設け、この弾性体２７を窪部２６と突部２３で挟持して上ケース２１と下ケース２５を嵌合することによって、上面の溝部２７Ａに上ケース２１の突部２３を圧入すると共に、略台形状の両側面が傾斜した下ケース２５の窪部２６に圧入して、弾性体２７が上ケース２１と下ケース２５の間に挟持されているため、全周にわたって均等な密封性が保て、防水性や防塵性に優れ、確実な遠隔操作の可能なリモコン送信機を得ることができる。【選択図】図１
2010130447.tif 000002
【特許請求の範囲】
【請求項１】
下面外周に突部が形成された上ケースと、上面外周に窪部が形成された下ケースと、押釦の操作によって電気的接離を行うスイッチ接点と、上記スイッチ接点の電気的接離に応じてリモコン信号を送信する制御手段からなり、上記窪部を上方が幅広で下方が幅狭に傾斜させると共に、断面が略台形状で上面に溝部が形成された略リング状の弾性体を設け、この弾性体を上記窪部と突部で挟持して上記上ケースと下ケースを嵌合したリモコン送信機。
【発明の詳細な説明】
【技術分野】
【０００１】
本発明は、主に各種電子機器の遠隔操作に用いられるリモコン送信機に関するものである。
【背景技術】
【０００２】
近年、屋外に設置された給湯器等の各種電子機器を、浴室内や屋内の側壁に取付けられたリモコン送信機によって、遠隔操作することが広く行われており、防水性や防塵性に優れ、確実な操作を行えるものが求められている。
【０００３】
このような従来のリモコン送信機について、図４及び図５を用いて説明する。
【０００４】
図４は従来のリモコン送信機の断面図、図５は同分解斜視図であり、同図において、１は略箱型で絶縁樹脂製の上ケースで、上面には複数の薄肉の腕部２Ａで連結された複数の押釦２が設けられると共に、下面外周には下方へ突出する略壁状の突部３が形成されている。
【０００５】
そして、４はフィルム状の表示シートで、複数の押釦２上方には文字や記号等の表示（図示せず）が印刷されると共に、この表示シート４が上ケース１上面に貼付されている。
【０００６】
また、５は上下面に複数の配線パターン（図示せず）が形成された配線基板で、この上面にはプッシュスイッチ等が実装されて、複数のスイッチ接点６が形成されると共に、スイッチ接点６の操作軸６Ａ上面に押釦２下面が当接している。
【０００７】
さらに、配線基板５の下面にはマイコン等が実装されて制御手段７が形成され、この制御手段７が配線パターンを介して、複数のスイッチ接点６やリード線８等に接続されている。
【０００８】
また、９は略箱型で絶縁樹脂製の下ケースで、上面外周には上方へ突出する略コの字状の窪部１０が形成され、この窪部１０内に略リング状で円形断面のゴム等の弾性体１１が装着されると共に、下ケース９底面の開口孔にはゴム等の蓋体１２が装着され、これに圧入されたリード線８が下ケース９下面から外方へ延出している。
【０００９】
さらに、この下ケース９と上ケース１内に配線基板５や制御手段７等が収納されると共に、複数のねじ１３によって上ケース１と下ケース９の、例えば四隅が締結され、窪部１０内に挿入された弾性体１１に突部３下面が弾接し、上ケース１と下ケース９が弾性体１１を挟持して嵌合されて、リモコン送信機が構成されている。
【００１０】
そして、このようなリモコン送信機が浴室内や屋内の側壁に取付られると共に、下ケース９下面から延出したリード線８が、屋外に設置された給湯器等の電子機器に接続される。
【００１１】
以上の構成において、表示シート４の、例えば温度切換え等が表示された箇所を押圧操作すると、この下面の押釦２が押されて腕部２Ａを弾性変形させながら下方へ移動し、押釦２下面が操作軸６Ａを押圧して、スイッチ接点６の電気的接離が行われる。
【００１２】
そして、このスイッチ接点６の電気的接離を制御手段７が検出し、この操作に応じたリモコン信号をリード線８から電子機器へ送信して、例えば、給湯器の設定温度が高い温度や低い温度に切換わる。
【００１３】
また、この時、リモコン送信機の上ケース１と下ケース９の間には、弾性体１１が挟持されているため、リモコン送信機が浴室内や屋内の側壁等の、湿気の多い場所や埃の溜り易い場所に取付けられた場合でも、水滴や塵埃等がリモコン送信機内に侵入しづらいようになっている。
【００１４】
つまり、複数のねじ１３で上ケース１と下ケース９を締結し、これによって窪部１０内に挿入された弾性体１１上端に突部３下面を、下端に窪部１０上面を各々弾接させることで、水滴や塵埃等の内部への侵入を防ぎ、リモコン送信機の密封性を高めるように構成されているものであった。
【００１５】
なお、この出願の発明に関連する先行技術文献情報としては、例えば、特許文献１が知られている。
【特許文献１】特開２００２−２８１５７５号公報
【発明の開示】
【発明が解決しようとする課題】
【００１６】
しかしながら、上記従来のリモコン送信機においては、略リング状で円形断面の弾性体１１上端に突部３下面を、下端に窪部１０上面を各々弾接させることで、上ケース１と下ケース９の密封性を保っているため、ねじ１３で締結された箇所、例えば四隅では弾性体１１が突部３と窪部１０に確実に弾接しているが、この中間部では弾接力が弱くなって密封性が不充分なものとなり、また、ねじ１３を締付ける際等に、弾性体１１が捩れた状態で組込まれた場合にも、密封性が不充分なものとなってしまうという課題があった。
【００１７】
本発明は、このような従来の課題を解決するものであり、防水性や防塵性を高め、確実な遠隔操作が可能なリモコン送信機を提供することを目的とする。
【課題を解決するための手段】
【００１８】
上記目的を達成するために本発明は、下ケース上面外周に形成された窪部を上方が幅広で下方が幅狭に傾斜させると共に、断面が略台形状で上面に溝部が形成された略リング状の弾性体を設け、この弾性体を窪部と突部で挟持し、上ケースと下ケースを嵌合してリモコン送信機を構成したものであり、上面の溝部に上ケースの突部を圧入すると共に、略台形状の両側面を下ケースの傾斜した窪部に圧入して、弾性体が上ケースと下ケースの間に挟持されているため、全周にわたって均等な密封性が保て、防水性や防塵性に優れ、確実な操作の可能なリモコン送信機を得ることができるという作用を有するものである。
【発明の効果】
【００１９】
以上のように本発明によれば、防水性や防塵性を高め、確実な遠隔操作の可能なリモコン送信機を実現できるという有利な効果が得られる。
【発明を実施するための最良の形態】
【００２０】
以下、本発明の実施の形態について、図１〜図３を用いて説明する。
【００２１】
なお、背景技術の項で説明した構成と同一構成の部分には同一符号を付して、詳細な説明を簡略化する。
【００２２】
（実施の形態）
図１は本発明の一実施の形態によるリモコン送信機の断面図、図２は同分解斜視図であり、同図において、２１は略箱型でポリスチレンやＡＢＳ等の絶縁樹脂製の上ケースで、上面には複数の薄肉の腕部２２Ａで連結された複数の押釦２２が設けられると共に、下面外周には下方へ突出する略壁状の突部２３が形成されている。
【００２３】
そして、４はフィルム状でポリエチレンテレフタレート等の表示シートで、複数の押釦２２上方には文字や記号等の表示（図示せず）が印刷されると共に、この表示シート４が上ケース２１上面に貼付されている。
【００２４】
また、５は紙フェノールやガラス入りエポキシ等の配線基板で、上下面に銅箔等によって複数の配線パターン（図示せず）が形成され、この上面にはプッシュスイッチ等が実装されて、複数のスイッチ接点６が形成されると共に、スイッチ接点６の操作軸６Ａ上面に押釦２２下面が当接している。
【００２５】
さらに、配線基板５の下面にはマイコン等が実装されて制御手段７が形成され、この制御手段７が配線パターンを介して、複数のスイッチ接点６やリード線８等に接続されている。
【００２６】
そして、２５は略箱型で絶縁樹脂製の下ケースで、上面外周には上方へ突出し、上方が幅広で下方が幅狭に傾斜した略台形状の窪部２６が形成されると共に、下ケース２５底面の開口孔にはゴム等の蓋体１２が装着され、これに圧入されたリード線８が下ケース２５下面から外方へ延出している。
【００２７】
また、２７は略リング状でシリコーンゴムやエラストマー等の弾性体で、断面が下ケース２５の窪部２６よりも、やや幅寸法が大きな略台形状に形成されると共に、上面全周には上ケース２１の突部２３よりもやや幅寸法の小さな溝部２７Ａが設けられている。
【００２８】
さらに、この弾性体２７上面の溝部２７Ａ内に、上ケース２１の突部２３を圧入すると共に、略台形状の両側面が下ケース２５の傾斜した窪部２６に圧入され、弾性体２７下面と窪部２６底面との間には空隙が形成されている。
【００２９】
そして、この上ケース２１と下ケース２５内に配線基板５や制御手段７等が収納されると共に、複数のねじ１３によって上ケース２１と下ケース２５の、例えば四隅が締結され、上ケース２１と下ケース２５が弾性体２７を挟持して嵌合されて、リモコン送信機が構成されている。
【００３０】
つまり、弾性体２７上面の溝部２７Ａ内に、これよりやや幅寸法が大きな上ケース２１の突部２３を圧入すると共に、略台形状の両外側面がこれよりやや幅寸法が小さな下ケース２５の窪部２６両内側面に、各々傾斜した両側面が圧接するようにして、弾性体２７が上ケース２１と下ケース２５の間に挟持されているため、全周にわたって均等な密封性が保てるようになっている。
【００３１】
なお、このようなリモコン送信機を組立てる際には、先ず、下ケース２５内に配線基板５や蓋体１２を収納装着した後、窪部２６内に弾性体２７をある程度の深さまで挿入し、この後、表示シート４が貼付された上ケース２１を、弾性体２７上面の溝部２７Ａに突部２３を圧入しながら、上ケース２１と下ケース２５を嵌合させることで、溝部２７Ａ内に突部２３が、窪部２６内に弾性体２７両側面が各々圧入される。
【００３２】
あるいは、上記とは逆に、上ケース２１の突部２３に弾性体２７の溝部２７Ａを軽く圧入した後、弾性体２７両側面を窪部２６内に圧入しながら、上ケース２１と下ケース２５を嵌合させるようにしても、同様に、溝部２７Ａ内に突部２３が、窪部２６内に弾性体２７両側面が各々圧入された状態に、組立てを行うことができる。
【００３３】
すなわち、いずれの組立て方法によっても、弾性体２７に捩れ等が生じることなく組立てを行うことが可能であり、弾性体２７による上ケース２１と下ケース２５の均等な密封性を保つことができるように構成されている。
【００３４】
さらに、上述したように、弾性体２７下面と窪部２６底面との間にやや空隙ができるように、弾性体２７と窪部２６の寸法を形成することで、上ケース２１と下ケース２５を嵌合した後、ねじ１３の締結によって弾性体２７が圧縮され、多少の変形が生じた場合でも、この空隙によって弾性体２７の浮きや隙間を防ぎ、密封性をより確実なものとすることができる。
【００３５】
そして、このようなリモコン送信機が浴室内や屋内の側壁に取付けられると共に、下ケース２５下面から延出したリード線８が、屋外に設置された給湯器等の電子機器に接続される。
【００３６】
以上の構成において、表示シート４の、例えば温度切換え等が表示された箇所を押圧操作すると、この下面の押釦２２が押されて腕部２２Ａを弾性変形させながら下方へ移動し、押釦２２下面が操作軸６Ａを押圧して、スイッチ接点６の電気的接離が行われる。
【００３７】
そして、このスイッチ接点６の電気的接離を制御手段７が検出し、この操作に応じたリモコン信号をリード線８から電子機器へ送信して、例えば、給湯器の設定温度が高い温度や低い温度に切換わるようになっている。
【００３８】
また、この時、上述したように、下ケース２５上面外周に形成された窪部２６を上方が幅広で下方が幅狭に傾斜させると共に、断面が略台形状で上面に溝部２７Ａが形成された略リング状の弾性体２７を設け、この弾性体２７を挟持して上ケース２１と下ケース２５が嵌合されているため、リモコン送信機が浴室内や屋内の側壁等の、湿気の多い場所や埃の溜り易い場所に取付けられた場合でも、水滴や塵埃等がリモコン送信機内に侵入しづらいように構成されている。
【００３９】
つまり、上面の溝部２７Ａに上ケース２１の突部２３を圧入すると共に、略台形状の両側面が傾斜した下ケース２５の窪部２６に圧入して、弾性体２７を上ケース２１と下ケース２５の間に挟持することによって、全周にわたって均等な密封性が保たれているため、水滴や塵埃等がリモコン送信機内に侵入して、これらが配線基板５やスイッチ接点６、制御手段７等に付着することを防ぎ、確実な遠隔操作を行えるようになっている。
【００４０】
なお、図３の断面図に示すように、下ケース２５の窪部２６の両内側面を傾斜させると共に、断面が略台形状の弾性体２７の両外側面に、複数の凹凸部２７Ｂを設けたり、あるいは、加工はやや困難となるが、溝部２７Ａを凹凸上に形成したりすることによって、弾性体２７による密封性をさらに高いものとすることができる。
【００４１】
このように本実施の形態によれば、下ケース２５の窪部２６を上方が幅広で下方が幅狭に傾斜させると共に、断面が略台形状で上面に溝部２７Ａが形成された略リング状の弾性体２７を設け、この弾性体２７を窪部２６と突部２３で挟持して上ケース２１と下ケース２５を嵌合することによって、上面の溝部２７Ａに上ケース２１の突部２３を圧入すると共に、略台形状の両側面が傾斜した下ケース２５の窪部２６に圧入して、弾性体２７が上ケース２１と下ケース２５の間に挟持されているため、全周にわたって均等な密封性が保て、防水性や防塵性に優れ、確実な遠隔操作の可能なリモコン送信機を得ることができるものである。
【００４２】
なお、以上の説明では、上ケース２１の下面外周に突部２３を、下ケース２５の上面外周に窪部２６を形成すると共に、複数の押釦２２を上ケース２１上面に一体に設けた構成について説明したが、上ケース２１に窪部を下ケース２５に突部を各々形成し、弾性体２７を上下逆向きに圧入させた構成や、複数の押釦２２を別体で設け、これを上ケース２１上面に設けた開口孔内に上下動可能に装着した構成としても、本発明の実施は可能である。
【００４３】
また、以上の説明では、配線基板５の上面にプッシュスイッチ等を実装して、複数のスイッチ接点６を形成した構成について説明したが、配線基板５上面にカーボン等の複数の固定接点を設け、この上方に下面に可動接点が形成されたゴム等の押釦を対向させたものや、あるいは、固定接点上に略ドーム状で導電金属薄板製の可動接点を載置したもの等、様々なスイッチ接点を用いた構成としても、本発明の実施は可能である。
【００４４】
さらに、リモコン送信機と電子機器をリード線８で接続した、主に給湯器用のリモコン送信機について説明したが、スイッチ接点６の電気的接離に応じて、制御手段７が発光ダイオード等から赤外線のリモコン信号を送信し、テレビやビデオ等の電子機器を遠隔操作するものや、アンテナ等から電波のリモコン信号を送信するもの等、様々なリモコン送信機においても実施が可能である。
【産業上の利用可能性】
【００４５】
本発明によるリモコン送信機は、防水性や防塵性を高め、確実な遠隔操作の可能なものが得られ、主に各種電子機器の操作用として有用である。
【図面の簡単な説明】
【００４６】
【図１】本発明の一実施の形態によるリモコン送信機の断面図
【図２】同分解斜視図
【図３】同他の実施の形態による断面図
【図４】従来のリモコン送信機の断面図
【図５】同分解斜視図
【符号の説明】
【００４７】
４  表示シート
５  配線基板
６  スイッチ接点
６Ａ  操作軸
７  制御手段
８  リード線
１２  蓋体
１３  ねじ
２１  上ケース
２２  押釦
２２Ａ  腕部
２３  突部
２５  下ケース
２６  窪部
２７  弾性体
２７Ａ  溝部
２７Ｂ  凹凸部
【図１】
2010130447.tif 000003
【図２】
2010130447.tif 000004
【図３】
2010130447.tif 000005
【図４】
2010130447.tif 000006
【図５】
2010130447.tif 000007